(57)【要約】【課題】害獣を追い払う機能と、捕獲する機能を合わせ持つ罠。【解決方法】害獣を威嚇するための広い範囲のセンサー１４と捕獲するための狭い範囲のセンサー１３を持ち、１４が感知すると地面に伏せてあった網を持つ腕が約９０度起き上がり害獣を威嚇し追い払う機能と、その後罠の近くに寄ってきた場合は１３が感知し起き上がっていた網が害獣に覆いかぶさり捕獲する機能を持ち、また１３のみ感知すると１４も外れ網が地面より１８０度回転し害獣を捕獲する。【選択図】図１
2018099105.tif 000002
【特許請求の範囲】
【請求項１】
地面より捕獲用の網が回動して起き上がり害獣を威嚇する第１の状態と、更に前倒し害獣を捕獲する第２の状態を持つ罠であって、ベース上の軸に設置された第１の状態を支える第１のヒンジと、該ヒンジを略９０度回動させる第１のスプリングと、該スプリングの蓄圧状態で該ヒンジの回動を阻止する第１のストッパーと、第２の状態を支える第２のヒンジと、該ヒンジを略９０度回動させる第２のスプリングと、該スプリングの蓄圧状態で該ヒンジの回動を阻止する第２のストッパーと、第一のヒンジに固着された腕もしくは腕を取り付ける接合部とを具備し、前記ベース上に前記腕が略水平状に伏せる状態で、前記第２のスプリングが蓄圧状態を保ち、前記第２のストッパーが前記ベースに支持され前記第２のヒンジの回動を阻止し、前記第１のスプリングが蓄圧状態を保ち、前記第１のストッパーが前記第２のヒンジに支持され前記第１のヒンジの回動を阻止し、かつ前記第１のストッパー阻止の解除手段に機能する第１のセンサーと、前記第２のストッパー阻止の解除手段に機能する第２のセンサーと、前記腕に止められた袋状の網を設置し、前記第１のセンサーに触れると第１の状態となり、かつ前記第２のセンサーに触れると第２の状態となり、前記第２のセンサーのみに触れると前記第１のセンサーも連動し、第１の状態と第２の状態が同時に機能する罠。
【発明の詳細な説明】
【技術分野】
【０００１】  農作物に被害を与える害獣を威嚇又は捕獲する罠に関する。
【背景技術】
【０００２】  従来害獣対策として、罠を仕掛け捕獲する方法と、音や花火で威嚇する方法が用いられている。また柵で害獣の侵入を阻止する方法も有効とされている。【０００３】  一般に用いられている害獣捕獲用罠は箱罠とくくり罠が主であるが、大きい箱罠は移動に手間がかかり、くくり罠は人間にも被害を与える危険がある。柵で畑を囲って農作物を守る方法も一般に行われているが、小さな穴などで柵の中に侵入されることもある。現在の害獣被害について文献１に詳細が記録されている。【０００４】  また捕獲せず威嚇し、追い払う方法も多種あり、音波では特許文献２、臭気では特許文献３、散水では特許文献４がある。【０００５】  上記の害獣対策では捕獲と威嚇が異なった設備になっているが、簡単な装置で両方の機能が発揮できれば便利である。【０００６】
【特許文献２】特開  ２０１５−１１２０９８
【特許文献３】特開  ２０１５−０４４８０１
【特許文献４】特開  ２００９−１７８０８９
【文献１】
猪変  中国新聞取材班  株式会社本の雑誌社
【発明の開示】
【発明が解決しようとする課題】
【０００７】  移動が簡単で比較的安全で畑の中にも設置でき広い範囲のセンサーに接触すると、造形物が起き上がり害獣を威嚇し、かつ罠の近くに接近した場合、捕獲可能な罠が課題である。
【課題を解決するための手段】
【０００８】  地面より捕獲用の網が回動して起き上がり害獣を威嚇する第１の状態と、更に前倒し害獣を捕獲する第２の状態を持ち、ベース上の軸に設置された第１の状態を支える第１のヒンジと、ヒンジを略９０度回動させる第１のスプリングと、該スプリングの蓄圧状態で該ヒンジの回動を阻止する第１のストッパーと、第２の状態を支える第２のヒンジと、ヒンジを略９０度回動させる第２のスプリングと、該スプリングの蓄圧状態で該ヒンジの回動を阻止する第２のストッパーと、第１のヒンジに固着された腕もしくは腕を取り付ける接合部と、該腕に止められた袋状の網と、他端を杭などに固定された網の入口を絞るロープとを具備し、ベース上に腕が略水平状に伏せる状態で、第２のスプリングを蓄圧状態で第２のストッパーがベースに支持され第２のヒンジの回動を阻止し、かつ第１のスプリングが蓄圧状態で第１のストッパーが第２のヒンジに支持され第１のヒンジの回動を阻止し、第１のストッパーの解除手段に機能する第１のセンサーと、第２のストッパーの解除手段に機能する第２のセンサーを設置し、第１のセンサーに触れると第１の状態となり、第２のセンサーに触れると第２の状態となり、かつ第２のセンサーのみに触れると第１のセンサーも連動し、第１の状態と第２の状態が同時に機能する罠により解決できる。
【発明の効果】
【０００９】  この発明により罠の遠くにいる害獣が第１のセンサーに触れると罠が地面より起き上がり網に取り付けた鳴り物などで害獣を威嚇する。センサーに長い糸を使用すれば広い範囲を威嚇できる。その後威嚇に慣れて罠に接近すると第２のセンサーに触れ、第２のヒンジが回動し網が害獣に覆いかぶさる。害獣は逃げようとし網を引き、網の入口のロープを締める。ロープは他端を固定されていて、網は軽く止められていた腕から抜け、害獣が動けば動くほどロープが締まり捕獲できる。また餌などで罠に接近させ直接第２のセンサーに触れさせれば、連動して第１、第２のヒンジが回転し威嚇状態を省き捕獲できる。この罠は害獣の通り道に設置しても、畑に設置しても広い範囲での威嚇効果が大であり、害獣の駆除用罠として効果がある。
【発明を実施するための最良の形態】
【００１０】  以下本発明の実施の形態の一例の二重のヒンジの例を図１に基づいて説明する。
１はベースである、２はヒンジの回転中心となる軸である、軸はベースに少し浮いた状態で固定されている。３は軸の外周に回動自由に設置された第２のヒンジで、軸に端部を固定し他端を第２のヒンジに固定された約９０度の復元力をもつ第２のスプリング４と、スプリンクが蓄圧状態の時ベースに支持され、第２のヒンジの回転を止める第２のストッパー５を持っている。６は第１のヒンジでの第２のヒンジ３を回転軸とし、端部を第１のヒンジに固定し他端を第２のヒンジに固定した約９０度の復元力を持つ第１のスプリング７とスプリングが蓄圧状態の時第２のヒンジに支持され第１のヒンジの回転を止める第１のストッパー８と回転軸に対し直角の腕９もしくは腕を取り付ける接合部を持っている。１０は腕が起き上がる第１の状態である。【００１１】  網１１は袋状にし、腕に軽く止め入口にロープ１２を網目に縫うように一周させ投げ縄式に結び他端は杭などに固定する。第２のストッパー５をベースと第２のヒンジ３間に設定し、センサー１３として糸を結び、その糸を害獣の捕獲範囲に杭などで張る。
第１のストッパー８を第１のヒンジと第２のヒンジ間に設定し第１のセンサー１４として糸を結び、その糸を害獣の威嚇範囲に杭などで張る。【００１２】  害獣が第１のセンサー用の糸１４にかかると第１のストッパー８が外れ、網が起き上がり害獣を威嚇する第１の状態となる。その後害獣が第２のセンサー用の糸１３にかかると、第２のストッパー５が外れ、網が害獣の上から覆いかぶさる第２の状態となる。第２のストッパー５が最初に外れた場合第１のストッパー８の支持部が回り第１のストッパーも外れ、網が地面から１８０度回転し第１の状態と第２の状態が同時に機能し害獣を捕獲する。【００１３】  なお、腕は柔らかくてしなやかな竹や、木の枝などを腕の接合部に固定し使用すると、人にけがをさせにくいし、害獣が暴れて破損した場合でも入手が簡単である。上記の二重のヒンジは、概念を分かりやすく表すためであるが、一本の軸に内と外のヒンジを支持する入れ子状にすれば簡単な構造となる。
【図面の簡単な説明】
【００１４】
【図１】二重のヒンジを使用した罠
【符号の説明】
【００１５】    １        ベース
２        軸
３        第２のヒンジ
４        第２のスプリング
５        第２のストッパー
６        第１のヒンジ
７        第１のスプリング
８        第１のストッパー
９        腕もしくは腕を取り付ける接合部
１０      第１の状態の腕
１１      網
１２      ロープ
１３      第２のセンサー
１４      第１のセンサー
【図１】
2018099105.tif 000003